(57)【要約】【課題】  電気的な設備が不要で、防音カバーを備えていなくても、油が油入機器の周囲に流れ出ないようにした油入機器の漏油回収施設を提供する。【解決手段】  本発明に係る油入機器の漏油回収施設は、油入機器３を設置する基礎２の周囲に油吸着剤７が敷設されていることを特徴としている。雨水は油吸着剤７を透過して、地下に浸透するものの、油入機器３から漏出した油は油吸着剤７に吸着され、地下に浸透したり周囲に流出したりすることがない。【選択図】  図１
2006344881.tif 000002
【特許請求の範囲】
【請求項１】
油入機器を設置する基礎の周囲に油吸着剤が敷設されていることを特徴とする油入機器の漏油回収施設。
【請求項２】
前記油吸着剤の周囲に防油堤が構築されていることを特徴とする請求項１に記載の油入機器の漏油回収施設。
【発明の詳細な説明】
【技術分野】
【０００１】
本発明は、変圧器や遮断器その他の油入機器を設置する油入機器の漏油回収施設に関し、詳しくは、油入機器から漏出した油が外部に流出しないようにした油入機器の漏油回収施設に関する。
【背景技術】
【０００２】
変電所などの油入機器の漏油回収施設は、図２に示すように、地盤１上に基礎２が置かれ、この基礎２上に変圧器などの油入機器３が設置されている。さらに基礎２の周囲は、砂利５が敷き詰められ、この砂利５の外周に防油堤６が構築されている。
【０００３】
そして、油入機器３内には、絶縁性を確保するための油が注入されており、この油は、地震や内部事故などで亀裂が生じない限り、一時的に大量に流出することがないものの、徐々に漏出し、砂利５に染み込む状態となる。しかし、この油は、防油堤６によって周囲に流出することがない。そして、油が滲込んだ状態の砂利５は、撤去され、新たな砂利５が敷き詰められる。
【０００４】
砂利５が敷き詰められるのは、土よりも水はけがよく、通電しにくく、さらに、草が生えないようにするためである。防油堤６内に草が生えると、虫などが寄り付き、この虫を狙って蛇などの動物が防油堤６内および油入機器３内に侵入する。すると、動物によって油入機器３が短絡することがある。しかし、砂利５によって草が生えず、動物が侵入しないようにすることにより、油入機器３が短絡するという事故を防止することができる。
【０００５】
なお、変電所などに設置された変圧器周りに油槽が設けられた油流出防止装置が特許文献１に開示されている。この油流出防止装置は、変圧器の周囲に構築された防火壁と基礎との間に油槽が設けられ、この油槽から道路の側溝などの一般排水路に補助排水路が設けられ、この補助排水路の途中に弁が設置されている。そして、変圧器の上方に配備された水管と前記弁とが管によって接続されている。
【０００６】
弁は、通常、開とされ、油槽内の雨水が一般排水路へ放出される。そして、変圧器に異常が発生すると、水管から放水され、管内の水圧が変化することによって弁が閉じ、油槽と一般排水路とが遮断され、変圧器から漏出して油槽内に流れ出た高温状態の油が一般排水路に放出されないようにされている。
【０００７】
また、油入電気機器本体を防音カバーが覆った油入電気機器が特許文献２に開示されている。この電気機器は、基礎上に据え付けられた油入電気機器本体に放圧装置を有する導油管が接続され、この油入電気機器と導油管とが防音カバーに覆われている。防音カバーの下端は基礎に油密に固着され、導油管の下端は排油口とされて防音カバー内に位置している。
【０００８】
この油入電気機器は、油入電気機器本体からの漏油および事故時の噴油が防音カバー内に貯油され、防音カバーが貯油タンクを兼ね、油がカバーの外に漏れ出ないようにされている。カバー内の油は、ポンプによって排出される。このような油入電気機器は、基礎の周囲にスペーサを有さず、基礎工事を短縮することができる。
【０００９】
【特許文献１】特開平７−８６０４４号公報
【特許文献２】特開２００１−８５２３８号公報
【発明の開示】
【発明が解決しようとする課題】
【００１０】
特許文献１に開示された油流出防止装置は、弁が管の水圧の変化を検知することによって閉じられ、油槽と一般排水路とを遮断するようにしている。したがって、弁は、管の水圧を検知するセンサが備えられなければならず、電気的な設備が必要となる。しかし、電気的な設備を備えることは、コストアップの一因となるだけでなく、メンテナンスなども面倒である。
【００１１】
また、特許文献２に開示された油入電気機器は、防音カバーによって油が外に漏れ出ないようにされる、換言すれば、防音カバーが貯油タンクを兼ねている。したがって、防音カバーを備えていない油入機器では、この発明を実施することができない。
【００１２】
そこで、本発明は、電気的な設備が不要で、防音カバーを備えていなくても、油が油入機器の周囲に流れ出ないようにした油入機器の漏油回収施設を提供することを課題とする。
【課題を解決するための手段】
【００１３】
本発明に係る油入機器の漏油回収施設は、油入機器を設置する基礎の周囲に油吸着剤が敷設されていることを特徴としている。
【００１４】
この油入機器の漏油回収施設によれば、油入機器を設置する基礎の周囲に油吸着剤が敷設されたことにより、雨水は油吸着剤を透過して、地下に浸透するものの、油入機器から漏出した油は油吸着剤に吸着され、地下に浸透したり周囲に流出したりすることがない。しかも、油吸着剤は、油入機器を設置する基礎の周囲に敷設するだけであるから、電気的な設備が不要で、極めて簡単に施工することができるだけでなく、防音カバーを備えていない油入機器においても実施することができる。
【００１５】
なお、油吸着剤は、バクテリアを含有し、特殊なカプセル構造を有する粒体ないし粉体であり、水を弾き、油を吸着した状態で収集することができるという特長を有している。したがって、油吸着剤を基礎の周囲に敷設する作業が容易であるだけでなく、油を吸着した油吸着剤を容易に収集し、撤去することができる。
【００１６】
また、前記本発明に係る油入機器の漏油回収施設において、前記油吸着剤の周囲に防油堤が構築されていてもよい。この油入機器の漏油回収施設によれば、防油堤が構築されることにより、油吸着剤に吸着された油が周囲から滲み出ないようにすることができる。
【発明の効果】
【００１７】
本発明によれば、油入機器を設置する基礎の周囲に油吸着剤が敷設されていることにより、電気的な設備を施工することなく、さらに、防音カバーを備えていない油入機器であっても、油入機器から漏出する油が周囲に流出しないようにすることができる。そして、油吸着剤は、油入機器を設置する基礎の周囲に容易に敷設することができるため、この施設を施工する費用を極めて少なくすることができる。さらに、油を吸着した油吸着剤を処理する作業も極めて簡便であるため、作業効率を向上させることができる。
【発明を実施するための最良の形態】
【００１８】
本発明に係る油入機器の漏油回収施設の一実施形態について、図１を参照しながら説明する。なお、従来と同一部分は、同一符号を付して説明する。
【００１９】
本油入機器の漏油回収施設は、変電所などで使用される変圧器や遮断器その他の油入機器３を設置する敷地において実施され、この敷地の地盤１上に基礎２が置かれ、この基礎２上に油入機器３が設置されている。そして、本油入機器の漏油回収施設は、基礎２の周囲に油吸着剤７が敷設されていることを特徴としている。
【００２０】
油吸着剤７は、例えば、バクテリアを含有し、特殊なカプセル構造を有する粒体ないし粉体あるいはシート状に成形され、水を弾き、油を吸着しても粒体ないし紛体の状態を維持するという特長を有している。
【００２１】
このような油吸着剤７は、粒体または紛体で基礎２の周囲の地盤１上に撒くようにして敷設してもよいし、粒体または紛体を充填した袋を敷き詰めるようにして敷設してもよいし、あるいはシートを敷き詰めるようにして敷設してもよい。いずれにしても、油吸着剤７は、油入機器３から漏出する油量に応じて厚さないし範囲が設定される。
【００２２】
また、油吸着剤７の外周には、防油堤６が構築される。この防油堤６によって油吸着剤７に吸着された油が滲み出て、周囲、特に海や河川などに流出しないようにすることができる。したがって、油吸着剤７を余分に敷設する場合や周囲に海や河川などがない場合は、防油堤６を構築しなくてもよい。
【００２３】
このような油入機器の漏油回収施設にあっては、雨水は油吸着剤７を透過して地中に浸透する。また、油吸着剤７上には、草が生えず、虫が寄り付かないため、蛇などの動物が油入機器３内に進入して短絡するという事故を防止することもできる。
【００２４】
そして、油入機器３から油が漏出すると、この油は、油吸着剤７のカプセル構造内に吸着され、特殊なバクテリアがオイルを消化し、水と炭酸ガスとに分解される。油を吸着した油吸着剤７は、無害の粒体ないし粉体であり、容易に撤去される。そして、新たな油吸着剤７が敷設される。
【００２５】
なお、本発明は、前記の実施形態に限定することなく、特許請求の範囲に記載した発明特定事項の範囲内において種々変更することができる。
【図面の簡単な説明】
【００２６】
【図１】本発明に係る油入機器の漏油回収施設の一実施形態を示す概略断面図である。
【図２】従来の油入機器の漏油回収施設の一例を示す概略断面図である。
【符号の説明】
【００２７】
２…基礎
３…油入機器
６…防油堤
７…油吸着剤
【図１】
2006344881.tif 000003
【図２】
2006344881.tif 000004